【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
塊茎病害原因微生物からの影響に関するジャガイモ（Solanum tuberosum）作物体の生育状態を診断する方法であって、
（１）ジャガイモ作物体の地上部における有機酸含量又は当該有機酸含量に基づく値、を指標値とする工程、
を含むことを特徴とする、ジャガイモ作物体の生育状態を診断する方法。
【請求項２】
前記（１）に記載の工程の後、
（２）前記指標値について、（２ａ）診断対象である作物体地上部からの指標値と（２ｂ）健全圃場での作物体地上部からの指標値とを比較して、指標値間の実質的な差異の有無又は差異の度合いを判定する工程、
を含む、請求項１に記載のジャガイモ作物体の生育状態を診断する方法。
【請求項３】
前記（２）に記載の工程の後、
（３）前記判定した実質的な差異の有無又は差異の度合いに基づいて、診断対象である作物体の生育状態を判定する工程、
を含む、請求項２に記載のジャガイモ作物体の生育状態を診断する方法。
【請求項４】
前記（２）に記載の工程において指標値間に実質的な差異が検出されない場合には、前記（３）に記載の工程において診断対象である作物体の生育状態が良好であると判定する、請求項３に記載のジャガイモ作物体の生育状態を診断する方法。
【請求項５】
前記（２）に記載の工程において、
前記（２ａ）に記載の作物体地上部と前記（２ｂ）に記載の作物体地上部とが、同一品種・系統の作物体の茎及び／又は葉である、
請求項２〜４のいずれかに記載のジャガイモ作物体の生育状態を診断する方法。
【請求項６】
前記（１）に記載の有機酸がギ酸及び／又はＬ-リンゴ酸であって、
前記（２）に記載の差異が、前記（２ｂ）に記載の指標値に対して前記（２ａ）に記載の指標値が増加する差異である、
請求項２〜５のいずれかに記載のジャガイモ作物体の生育状態を診断する方法。
【請求項７】
前記（１）に記載の有機酸がギ酸である、請求項６に記載のジャガイモ作物体の生育状態を診断する方法。
【請求項８】
前記（１）に記載の有機酸がクエン酸及び／又はクロロゲン酸類であって、
前記（２）に記載の差異が、前記（２ｂ）に記載の指標値に対して前記（２ａ）に記載の指標値が減少する差異である、
請求項２〜５のいずれかに記載のジャガイモ作物体の生育状態を診断する方法。
【請求項９】
前記（１）に記載の有機酸がクエン酸である、請求項８に記載のジャガイモ作物体の生育状態を診断する方法。
【請求項１０】
前記指標値が、
（Ａ）健全圃場にて生育した作物体地上部に対して、塊茎病害原因微生物に汚染された圃場にて生育した作物体地上部では増加する有機酸含量又は当該有機酸含量に基づく値と、
（Ｂ）健全圃場にて生育した作物体地上部に対して、塊茎病害原因微生物に汚染された圃場にて生育した作物体地上部では減少する有機酸含量又は当該有機酸含量に基づく値と、
の比又は当該比に基づく値である、
請求項１〜５のいずれかに記載のジャガイモ作物体の生育状態を診断する方法。
【請求項１１】
前記（Ａ）に記載の有機酸がギ酸及び／又はＬ−リンゴ酸であって、前記（Ｂ）に記載の有機酸がクエン酸及び／又はクロロゲン酸類である、請求項１０に記載のジャガイモ作物体の生育状態を診断する方法。
【請求項１２】
前記（Ａ）に記載の有機酸がギ酸であって、前記（Ｂ）に記載の有機酸がクエン酸である、請求項１１に記載のジャガイモ作物体の生育状態を診断する方法。
【請求項１３】
前記塊茎病害原因微生物が、ジャガイモそうか病菌である、請求項１〜１２のいずれかに記載のジャガイモ作物体の生育状態を診断する方法。
【請求項１４】
塊茎病害原因微生物からの影響に関するジャガイモ（Solanum tuberosum）塊茎の品質を評価する方法であって、
評価対象である塊茎の作物体地上部に対して請求項１〜１３のいずれかに記載のジャガイモ作物体の生育状態を診断する方法を利用することを特徴とする、ジャガイモ塊茎の品質を評価する方法。
【請求項１５】
塊茎病害原因微生物からの影響に関するジャガイモ（Solanum tuberosum）塊茎の品質を評価する方法であって、
請求項２〜１３のいずれかに記載の前記（２ａ）に記載の診断対象である作物体地上部の代わりに、評価対象である塊茎の作物体地上部を用いて前記（１）及び（２）に記載の工程を行うことを特徴とする、ジャガイモ塊茎の品質を評価する方法。
【請求項１６】
請求項１５に記載の工程の後、
（４）前記判定した実質的な差異の有無又は差異の度合いに基づいて、評価対象である塊茎の品質を判定する工程、
を含む、請求項１５に記載のジャガイモ塊茎の品質を評価する方法。
【請求項１７】
請求項１６に記載の前記（２）に記載の工程において指標値間に実質的な差異が検出されない場合には、前記（４）に記載の工程において評価対象である塊茎の品質が良好であると判定する、請求項１６に記載のジャガイモ塊茎の品質を評価する方法。
【手続補正２】
【補正対象書類名】明細書
【補正対象項目名】００１２
【補正方法】変更
【補正の内容】
【００１２】
本発明は、具体的には以下に係る発明に関する。
［項１］
塊茎病害原因微生物からの影響に関するジャガイモ（Solanum tuberosum）作物体の生育状態を診断する方法であって、
（１）ジャガイモ作物体の地上部における有機酸含量又は当該有機酸含量に基づく値、を指標値とする工程、
を含むことを特徴とする、ジャガイモ作物体の生育状態を診断する方法。
［項２］
前記（１）に記載の工程の後、
（２）前記指標値について、（２ａ）診断対象である作物体地上部からの指標値と（２ｂ）健全圃場での作物体地上部からの指標値とを比較して、指標値間の実質的な差異の有無又は差異の度合いを判定する工程、
を含む、項１に記載のジャガイモ作物体の生育状態を診断する方法。
［項３］
前記（２）に記載の工程の後、
（３）前記判定した実質的な差異の有無又は差異の度合いに基づいて、診断対象である作物体の生育状態を判定する工程、
を含む、項２に記載のジャガイモ作物体の生育状態を診断する方法。
［項４］
前記（２）に記載の工程において指標値間に実質的な差異が検出されない場合には、前記（３）に記載の工程において診断対象である作物体の生育状態が良好であると判定する、項３に記載のジャガイモ作物体の生育状態を診断する方法。
［項５］
前記（２）に記載の工程において、
前記（２ａ）に記載の作物体地上部と前記（２ｂ）に記載の作物体地上部とが、同一品種・系統の作物体の茎及び／又は葉である、
項２〜４のいずれかに記載のジャガイモ作物体の生育状態を診断する方法。
［項６］
前記（１）に記載の有機酸がギ酸及び／又はＬ-リンゴ酸であって、
前記（２）に記載の差異が、前記（２ｂ）に記載の指標値に対して前記（２ａ）に記載の指標値が増加する差異である、
項２〜５のいずれかに記載のジャガイモ作物体の生育状態を診断する方法。
［項７］
前記（１）に記載の有機酸がギ酸である、項６に記載のジャガイモ作物体の生育状態を診断する方法。
［項８］
前記（１）に記載の有機酸がクエン酸及び／又はクロロゲン酸類であって、
前記（２）に記載の差異が、前記（２ｂ）に記載の指標値に対して前記（２ａ）に記載の指標値が減少する差異である、
項２〜５のいずれかに記載のジャガイモ作物体の生育状態を診断する方法。
［項９］
前記（１）に記載の有機酸がクエン酸である、項８に記載のジャガイモ作物体の生育状態を診断する方法。
［項１０］
前記指標値が、
（Ａ）健全圃場にて生育した作物体地上部に対して、塊茎病害原因微生物に汚染された圃場にて生育した作物体地上部では増加する有機酸含量又は当該有機酸含量に基づく値と、
（Ｂ）健全圃場にて生育した作物体地上部に対して、塊茎病害原因微生物に汚染された圃場にて生育した作物体地上部では減少する有機酸含量又は当該有機酸含量に基づく値と、
の比又は当該比に基づく値である、
項１〜５のいずれかに記載のジャガイモ作物体の生育状態を診断する方法。
［項１１］
前記（Ａ）に記載の有機酸がギ酸及び／又はＬ−リンゴ酸であって、前記（Ｂ）に記載の有機酸がクエン酸及び／又はクロロゲン酸類である、項１０に記載のジャガイモ作物体の生育状態を診断する方法。
［項１２］
前記（Ａ）に記載の有機酸がギ酸であって、前記（Ｂ）に記載の有機酸がクエン酸である、項１１に記載のジャガイモ作物体の生育状態を診断する方法。
［項１３］
前記塊茎病害原因微生物が、ジャガイモそうか病菌である、項１〜１２のいずれかに記載のジャガイモ作物体の生育状態を診断する方法。
［項１４］
塊茎病害原因微生物からの影響に関するジャガイモ（Solanum tuberosum）塊茎の品質を評価する方法であって、
評価対象である塊茎の作物体地上部に対して項１〜１３のいずれかに記載のジャガイモ作物体の生育状態を診断する方法を利用することを特徴とする、ジャガイモ塊茎の品質を評価する方法。
［項１５］
塊茎病害原因微生物からの影響に関するジャガイモ（Solanum tuberosum）塊茎の品質を評価する方法であって、
項２〜１３のいずれかに記載の前記（２ａ）に記載の診断対象である作物体地上部の代わりに、評価対象である塊茎の作物体地上部を用いて前記（１）及び（２）に記載の工程を行うことを特徴とする、ジャガイモ塊茎の品質を評価する方法。
［項１６］
項１５に記載の工程の後、
（４）前記判定した実質的な差異の有無又は差異の度合いに基づいて、評価対象である塊茎の品質を判定する工程、
を含む、項１５に記載のジャガイモ塊茎の品質を評価する方法。
［項１７］
項１６に記載の前記（２）に記載の工程において指標値間に実質的な差異が検出されない場合には、前記（４）に記載の工程において評価対象である塊茎の品質が良好であると判定する、項１６に記載のジャガイモ塊茎の品質を評価する方法。